(57)【要約】【課題】  ファクシミリの移設、廃棄、更新などの際に、機密情報の漏洩を防止する。【解決手段】  短縮釦番号などの機密情報が記憶されているデータメモリ３６が搭載された基板８０を収納する筐体を、下部筐体８３と上部筐体８４とから構成し、基板８０を下部筐体８３に収納し、上部筐体８４には前記データメモリ３６のバックアップ電源３７を搭載し、双方の筐体８３，８４を相互に分離することで、前記バックアップ電源３７から前記データメモリ３６への電源供給が遮断されるようにする。したがって、搬出時に煩わしい作業を行うことなく、上部筐体８４を開放するだけの簡単な作業で機密情報を消去でき、廃棄や再利用などの際に、不所望に前記機密情報が漏洩してしまうことを未然に防止し、セキュリティを向上することができる。また、電源が落ちている状態で消去を行うことができる。【選択図】      図４
2007065842.tif 000002
【特許請求の範囲】
【請求項１】
電源供給が行われることで記憶内容を保持することができ、機密情報を記憶する記憶手段を有する電気機器において、
前記記憶手段が搭載された基板を収納する筐体を複数の筐体部分の組立て体から構成し、
前記筐体部分の一方に前記基板を搭載し、他方に前記記憶内容の保持用のバックアップ電源を搭載し、双方の筐体部分を相互に分離することで、前記バックアップ電源から前記記憶手段への電源供給が遮断されることを特徴とする電気機器。
【請求項２】
電源供給が行われることで記憶内容を保持することができ、機密情報を記憶する記憶手段を有する電気機器において、
前記記憶手段が搭載された基板を収納する筐体を複数の筐体部分の組立て体から構成し、
前記筐体部分の一方に前記基板および前記記憶内容の保持用のバックアップ電源を搭載し、他方に前記バックアップ電源から記憶手段への給電線路の一部を形成し、双方の筐体部分を相互に分離することで、前記バックアップ電源から前記記憶手段への電源供給が遮断されることを特徴とする電気機器。
【請求項３】
前記筐体は、１または複数の基板を収納する筐体本体と蓋とから成り、
前記筐体本体に収納される基板の最上層に前記記憶手段が搭載された基板が配置されるとともに、その基板から前記蓋へ向けて給電用の一対の接触片が延設され、
前記蓋には、前記基板へ向けて給電用の一対の接触片が設けられ、
前記蓋を開放することで、前記接触片が相互に離反し、バックアップ電源から前記記憶手段への電源供給が遮断されることを特徴とする請求項１または２記載の電気機器。
【請求項４】
前記機密情報は、ファクシミリ通信を行う際に必要となる情報であり、ファクシミリ装置であることを特徴とする請求項１〜３のいずれか１項に記載の電気機器。
【発明の詳細な説明】
【技術分野】
【０００１】
本発明は、電気機器に関し、詳しくは、廃棄や更新などに伴う機密情報の管理に関する。
【背景技術】
【０００２】
前記機密情報を扱う電気機器として、たとえばファクシミリ装置では、相手先名称やファクシミリ番号の短縮釦登録など、ファクシミリ通信を行う際に必要となる情報が、予め記憶手段に記憶しておくことが可能になっている。したがって、該ファクシミリ装置の移設、廃棄、更新などの際に、前記相手先名称やファクシミリ番号などの機密情報を適切に処理しないと、廃棄や再利用などの際に、不所望に前記機密情報が漏洩してしまうことになる。
【０００３】
そこで、そのような機密情報の消去の手法としては、特許文献１が挙げられる。この従来技術は、回線種別の変更や発信元番号の変更などの操作が行われると、移設されたものと判断して初期化モードに移り、その後、ユーザによる選択命令に従って、短縮釦登録などの内容を初期化するように構成されている。
【特許文献１】特開２００１−１８６２３９号公報
【発明の開示】
【発明が解決しようとする課題】
【０００４】
上述の従来技術は、他の部署などへの移設の際に、新たな短縮釦登録などが容易なように初期化を行うものであり、機密情報の保護を目的としたものではない。すなわち、移設の場合は、ファクシミリ装置の次の設置箇所も同じ社内であり、取引先の顧客情報がその他の部署で知れても問題になる可能性は小さいと思われる。これに対して、廃棄の場合や、特にリース期限切れなどで更新の場合は、撤去された機体が再利用される可能性が高く、機密情報が不所望に流出してしまう可能性が高い。
【０００５】
本発明の目的は、機密情報を確実に消去することができる電気機器を提供することである。
【課題を解決するための手段】
【０００６】
本発明の電気機器は、電源供給が行われることで記憶内容を保持することができ、機密情報を記憶する記憶手段を有する電気機器において、前記記憶手段は、電源供給が行われることで記憶内容を保持することができる記憶手段から成り、前記記憶手段が搭載された基板を収納する筐体を複数の筐体部分の組立て体から構成し、前記筐体部分の一方に前記基板を搭載し、他方に前記記憶内容の保持用のバックアップ電源を搭載し、双方の筐体部分を相互に分離することで、前記バックアップ電源から前記記憶手段への電源供給が遮断されることを特徴とする。
【０００７】
上記の構成によれば、電源供給が行われることで記憶内容を保持することができ、機密情報を記憶する記憶手段を有する電気機器において、記憶手段を、ＳＲＡＭ（Ｓｔａｔｉｃ  ＲＡＭ）などの電源供給が行われることで記憶内容を保持することができる記憶手段で構成するとともに、前記記憶手段が搭載された基板を収納する筐体を複数の筐体部分の組立て体から構成し、前記筐体部分の一方に前記基板を搭載し、他方に前記記憶内容の保持用のバックアップ電源を搭載し、双方の筐体部分を相互に分離することで、前記バックアップ電源から前記記憶手段への電源供給が遮断されるようにしておく。
【０００８】
したがって、該電気機器の移設、廃棄、更新などの際に、前記筐体部分を相互に分離して筐体を開放するという簡単な作業で機密情報を一括消去可能とすることができ、廃棄や再利用などの際に、不所望に前記機密情報が漏洩してしまうことを未然に防止し、セキュリティを向上することができる。
【０００９】
また、本発明の電気機器は、電源供給が行われることで記憶内容を保持することができ、機密情報を記憶する記憶手段を有する電気機器において、前記記憶手段は、電源供給が行われることで記憶内容を保持することができる記憶手段から成り、前記記憶手段が搭載された基板を収納する筐体を複数の筐体部分の組立て体から構成し、前記筐体部分の一方に前記基板および前記記憶内容の保持用のバックアップ電源を搭載し、他方に前記バックアップ電源から記憶手段への給電線路の一部を形成し、双方の筐体部分を相互に分離することで、前記バックアップ電源から前記記憶手段への電源供給が遮断されることを特徴とする。
【００１０】
上記の構成によれば、電源供給が行われることで記憶内容を保持することができ、機密情報を記憶する記憶手段を有する電気機器において、記憶手段を、ＳＲＡＭなどの電源供給が行われることで記憶内容を保持することができる記憶手段で構成するとともに、前記記憶手段が搭載された基板を収納する筐体を複数の筐体部分の組立て体から構成し、前記筐体部分の一方に前記基板およびバックアップ電源を搭載し、他方に前記バックアップ電源から記憶手段への給電線路の一部を形成し、双方の筐体部分を相互に分離することで、前記バックアップ電源から前記記憶手段への電源供給が遮断されるようにしておく。
【００１１】
したがって、該電気機器の移設、廃棄、更新などの際に、前記筐体部分を相互に分離して筐体を開放するという簡単な作業で機密情報を一括消去可能とすることができ、廃棄や再利用などの際に、不所望に前記機密情報が漏洩してしまうことを未然に防止し、セキュリティを向上することができる。
【００１２】
さらにまた、本発明の電気機器では、前記筐体は、１または複数の基板を収納する筐体本体と蓋とから成り、前記筐体本体に収納される基板の最上層に前記記憶手段が搭載された基板が配置されるとともに、その基板から前記蓋へ向けて給電用の一対の接触片が延設され、前記蓋には、前記基板へ向けて給電用の一対の接触片が設けられ、前記蓋を開放することで、前記接触片が相互に離反し、バックアップ電源から前記記憶手段への電源供給が遮断されることを特徴とする。
【００１３】
上記の構成によれば、筐体部分を相互に分離して筐体を開放するという簡単な作業で、前記機密情報を一括消去することができる電気機器を簡易な構成で実現することができる。
【００１４】
また、本発明の電気機器では、前記機密情報は、ファクシミリ通信を行う際に必要となる情報であり、ファクシミリ装置であることを特徴とする。
【００１５】
上記の構成によれば、ファクシミリ通信を行う際に必要となる情報、たとえば短縮釦登録の相手先名称やファクシミリ番号などの前記機密情報を予め記憶手段に記憶しておくことができるファクシミリ装置において、前記のように機密情報が一括消去することができるのは、極めて効果的である。
【発明の効果】
【００１６】
本発明の電気機器は、以上のように、電源供給が行われることで記憶内容を保持することができ、機密情報を記憶する記憶手段を有する電気機器において、記憶手段をＳＲＡＭなどの電源供給が行われることで記憶内容を保持することができる記憶手段で構成するとともに、前記記憶手段が搭載された基板を収納する筐体を複数の筐体部分の組立て体から構成し、前記筐体部分の一方に前記基板を搭載し、他方に前記記憶内容の保持用のバックアップ電源を搭載し、双方の筐体部分を相互に分離することで、前記バックアップ電源から前記記憶手段への電源供給が遮断されるようにしておく。
【００１７】
それゆえ、該電気機器の移設、廃棄、更新などの際に、前記筐体部分を相互に分離して筐体を開放するという簡単な作業で機密情報を一括消去可能とすることができ、廃棄や再利用などの際に、不所望に前記機密情報が漏洩してしまうことを未然に防止し、セキュリティを向上することができる。
【００１８】
また、本発明の電気機器は、以上のように、電源供給が行われることで記憶内容を保持することができ、機密情報を記憶する記憶手段を有する電気機器において、記憶手段をＳＲＡＭなどの電源供給が行われることで記憶内容を保持することができる記憶手段で構成するとともに、前記記憶手段が搭載された基板を収納する筐体を複数の筐体部分の組立て体から構成し、前記筐体部分の一方に前記基板およびバックアップ電源を搭載し、他方に前記バックアップ電源から記憶手段への給電線路の一部を形成し、双方の筐体部分を相互に分離することで、前記バックアップ電源から前記記憶手段への電源供給が遮断されるようにしておく。
【００１９】
それゆえ、該電気機器の移設、廃棄、更新などの際に、前記筐体部分を相互に分離して筐体を開放するという簡単な作業で機密情報を一括消去可能とすることができ、廃棄や再利用などの際に、不所望に前記機密情報が漏洩してしまうことを未然に防止し、セキュリティを向上することができる。
【発明を実施するための最良の形態】
【００２０】
［実施の形態１］
図１は、本発明の実施の第１の形態の電気機器である複合機１の機械的構成を示す縦断面図である。複合機とは、複写機能、プリンタ機能、ファクシミリ機能、およびスキャナ機能等、画像形成に関する複数の機能を兼ね備えた画像形成装置を意味する。この複合機１は、大略的に、本体部２００と、本体部２００の左側に配設された用紙後処理部３００と、ユーザが種々の操作指令等を入力するための操作部４００と、本体部２００の上部に配設された原稿読み取り部５００と、原稿読み取り部５００の上方に配設された原稿給送部６００とを備えて構成される。
【００２１】
前記操作部４００は、タッチパネル４０１、スタートキー４０２およびテンキー４０３等を備える。タッチパネル４０１は、拡縮率や複写濃度等の設定用画面を含む種々の操作画面を表示するとともに、ユーザが種々の操作指令を入力するための種々の操作ボタン等を表示する。スタートキー４０２は、ユーザが印刷実行指令等を入力するために用いられ、テンキー４０３は、印刷部数等を入力するために用いられる。
【００２２】
前記原稿給送部６００は、原稿載置部６０１、原稿排出部６０２、給紙ローラ６０３および原稿搬送部６０４等を備え、原稿読み取り部５００は、スキャナ５０１等を備える。給紙ローラ６０３は、原稿載置部６０１にセットされた原稿を繰り出し、原稿搬送部６０４は、繰り出された原稿を１枚ずつ順にスキャナ５０１上に搬送する。スキャナ５０１は搬送される原稿を順次読み取り、読み取られた原稿は原稿排出部６０２に排出される。
【００２３】
前記本体部２００は、複数の給紙カセット２０１、複数の給紙ローラ２０２、転写ローラ２０３、中間転写体ローラ２０４、感光体ドラム２０５、露光装置２０６、イエロー、マゼンタ、シアン、ブラックの各色用の現像装置２０７Ｙ，２０７Ｍ，２０７Ｃ，２０７Ｋ、定着ローラ２０８、排出口２０９、および排出トレイ２１０を備える。
【００２４】
前記感光体ドラム２０５は、矢印方向に回転しながら帯電装置（図示省略）によって一様に帯電される。露光装置２０６は、原稿読み取り部５００において読み取られた原稿の画像データに基づいて生成された変調信号をレーザ光に変換して出力し、感光体ドラム２０５に各色別に静電潜像を形成する。現像装置２０７Ｙ，２０７Ｍ，２０７Ｃ，２０７Ｋは、各色の現像剤を感光体ドラム２０５に供給して各色別のトナー画像を形成する。中間転写体ローラ２０４は、感光体ドラム２０５から各色のトナー像を転写され、中間転写体ローラ２０４上にカラーのトナー像が形成される。
【００２５】
一方、給紙ローラ２０２は、記録紙が収納された給紙カセット２０１から記録紙を引き出し、転写ローラ２０３まで給送する。転写ローラ２０３は、搬送された記録紙に中間転写体ローラ２０４上のトナー像を転写させ、定着ローラ２０８は、転写されたトナー像を加熱して記録紙に定着させる。その後、記録紙は、本体部２００の排出口２０９から用紙後処理部３００に搬入される。また、記録紙は、必要に応じて排出トレイ２１０へも排出される。
【００２６】
用紙後処理部３００は、搬入口３０１、記録紙搬送部３０２、搬出口３０３およびスタックトレイ３０４等を備える。記録紙搬送部３０２は、排出口２０９から搬入口３０１に搬入された記録紙を順次搬送し、最終的に搬出口３０３からスタックトレイ３０４へ記録紙を排出する。スタックトレイ３０４は、搬出口３０３から搬出された記録紙の集積枚数に応じて矢印方向に上下動可能に構成されている。
【００２７】
図２は、上述のように構成される複合機１の電気的構成を示すブロック図である。この複合機１は、大略的に、スキャナ部１１、画像処理部２１、プリンタ部３１、データメモリ３６、制御部４１、操作パネル部５１、ファクシミリ通信部６１、ネットワークＩ／Ｆ部７１、パラレルＩ／Ｆ部７２、シリアルＩ／Ｆ部７３およびＨＤＤ（ハードディスクドライブ）７４を備えて構成される。
【００２８】
前記スキャナ部１１、画像処理部２１、データメモリ３６、制御部４１、操作パネル部５１、およびネットワークＩ／Ｆ部７１は、図１に示す操作部４００、原稿読み取り部５００、および原稿給送部６００に相当し、これら各部によって、取込んだ画像データを予め指定されたＩＰアドレスへ送信するネットワークスキャナ機能が実現される。また、前記スキャナ部１１、画像処理部２１、プリンタ部３１、データメモリ３６、制御部４１、操作パネル部５１、およびファクシミリ通信部６１は、図１に示す本体部２００、操作部４００、原稿読み取り部５００、および原稿給送部６００に相当し、これらの各部によって、ファクシミリ機能が実現される。さらにまた、前記画像処理部２１、プリンタ部３１、制御部４１、操作パネル部５１、ネットワークＩ／Ｆ部７１、およびパラレルＩ／Ｆ部７２は、図１に示す本体部２００および操作部４００に相当し、これらの各部によって、プリンタ機能が実現される。また、前記スキャナ部１１、画像処理部２１、プリンタ部３１、制御部４１、および操作パネル部５１は、図１に示す本体部２００、用紙後処理部３００、操作部４００、原稿読み取り部５００、および原稿給送部６００に相当し、これらの各部によって、コピー機能が実現される。
【００２９】
操作パネル部５１は、ユーザがコピー機能、プリンタ機能、ファクシミリ機能およびスキャナ機能等に関する操作を行うために使用され、ユーザによる操作指令（コマンド）等を制御部４１に与えるものである。操作パネル部５１は、タッチパネル等を有する表示部５２と、スタートキーやテンキー等を有する操作キー部５３とを含む。表示部５２は、タッチパネルとＬＣＤ（Liquid Crystal Display）とを組合わせたカラー表示可能なタッチパネルユニット等を有し、種々の操作画面を表示し、入力操作を可能にするものであり、たとえばファクシミリ機能実行時において、ユーザ選択、送信先選択、送信設定等に関する情報を表示するとともに、ユーザが当該部分をタッチすることで種々の操作指令を入力するための操作ボタン等を表示する。操作キー部５３は、ユーザによるコピー実行開始指令、あるいはファクシミリ送信開始指令といった種々の指示入力を行うために用いられる。
【００３０】
スキャナ部１１は、原稿の画像を光学的に取得して画像データを生成するものである。スキャナ部１１は、露光ランプ１２およびＣＣＤ（電荷結合素子）１３を含んでいる。スキャナ部１１は、露光ランプ１２によって原稿を照射し、その反射光をＣＣＤ１３で受光することで、原稿画像を読取り、読取った画像に対応する画像データを画像処理部２１へ出力する。スキャナ部１１は、モノクロ原稿だけでなく、カラー原稿や写真原稿の読取りが可能となっていてもよい。
【００３１】
画像処理部２１は、画像データに対する各種画像処理を行うものである。たとえば、画像処理部２１は、スキャナ部１１で読取られるなどして得られた画像データに対して、レベル補正、γ補正等の所定の補正処理、画像データの圧縮または伸張処理、拡大または縮小処理等の種々の画像処理（加工処理）を行う。画像処理部２１は、画像メモリ２２を含み、処理された画像データ等をこの画像メモリ２２に記憶したり、プリンタ部３１、ファクシミリ通信部６１、またはネットワークＩ／Ｆ部７１等へ出力する。
【００３２】
プリンタ部３１は、スキャナ部１１によって読取られた原稿の画像データ、ネットワークＩ／Ｆ部７１を介して外部のパーソナルコンピュータ等から受信した画像データ、およびファクシミリ通信部６１によって外部のファクシミリ装置から受信したファクスデータ等の画像データに対する画像を所定の記録紙に印刷するものである。プリンタ部３１は、給紙カセットおよび給紙ローラ等を有する用紙搬送部３２、中間転写体ローラ、感光体ドラム、露光装置、および現像装置等を有する画像形成部３３、転写ローラ等を有する転写部３４、ならびに定着ローラ等を有する定着部３５を含む。具体的には、用紙搬送部３２は記録紙を画像形成部３３へ搬送し、画像形成部３３は上記画像データに対応するトナー像を形成し、転写部３４はトナー像を記録紙に転写し、定着部３５はトナー像を記録紙に定着させて画像を形成する。
【００３３】
データメモリ３６は、ファクシミリ通信を行う時の短縮釦登録の相手先名称やファクシミリ番号を予め記憶している記憶手段であり、またネットワークスキャナとして使用される際の送信相手先のＩＰアドレスなども予め記憶している。これらの記憶内容は、操作パネル部５１への入力操作によって、制御部４１によって適宜書替えが可能となっている。
【００３４】
制御部４１は、不図示のＣＰＵ（Central Processing Unit；中央演算処理部）に、そのＣＰＵの動作を規定するプログラムを格納するＲＡＭ（Random Access Memory）やＲＯＭ（Read Only Memory）、ならびに一時的にデータを保管するＲＡＭ等の記憶部などの周辺装置を有している。これによって、制御部４１は、操作パネル部５１等で受け付けられた指示情報や、複合機１の各所に設けられているセンサからの検出信号に応じて、該複合機１全体の制御を行う。より具体的には、制御部４１は、スキャナコントローラ４２、ファクシミリコントローラ４３、プリンタコントローラ４４、およびコピーコントローラ４５として機能する。
【００３５】
制御部４１としてのコンピュータが読取ることによって上述の各機能を実現するためのプログラムは、ＨＤＤ７４等の不揮発性かつ大容量の外部記憶装置に格納しておき、前記ＲＡＭ等の主記憶装置に適宜転送することで、ＣＰＵによる実行に供することも可能である。前記プログラムは、ＲＯＭ或いはＣＤ−ＲＯＭ等の記録媒体を通じて供給することも、ネットワークＩ／Ｆ部７１に接続されるネットワーク等の伝送媒体を通じて供給することも可能である。伝送媒体は、有線の伝送媒体に限らず無線の伝送媒体であってもよい。また、伝送媒体には、通信線路のみでなく、通信線路を中継する中継装置、たとえばルータ等の通信リンクをも含む。
【００３６】
プログラムがＲＯＭを通じて供給される場合には、当該プログラムが記録されたＲＯＭを制御部４１に搭載することによって、ＣＰＵによる実行に供することができる。プログラムがＣＤ−ＲＯＭを通じて供給される場合には、ＣＤ−ＲＯＭ読取り装置を、たとえばパラレルＩ／Ｆ部７２へ接続し、当該プログラムをＲＡＭ或いはＨＤＤ７４へ転送することによって、ＣＰＵによる実行に供することができる。また、プログラムが伝送媒体を通じて供給される場合には、ネットワークＩ／Ｆ部７１を通じて受信したプログラムをＲＡＭ或いはＨＤＤ７４へ転送することによって、ＣＰＵによる実行に供することができる。
【００３７】
スキャナコントローラ４２は、スキャナ機能を実現するために用いられる各部の動作を制御するものである。ファクシミリコントローラ４３は、ファクシミリ機能を実現するために用いられる各部の動作を制御するものである。プリンタコントローラ４４は、プリンタ機能を実現するために用いられる各部の動作を制御するものである。コピーコントローラ４５は、コピー機能を実現するために用いられる各部の動作を制御するものである。
【００３８】
ファクシミリ通信部６１は、符号化／復号化部（図示せず）、変復調部（図示せず）およびＮＣＵ（Network Control Unit）（図示せず）を含み、スキャナ部１１によって読取られた原稿の画像データを電話回線やインターネット回線を介して他のファクシミリ装置へ送信したり、他のファクシミリ装置から送信されてきた画像データを受信するものである。前記符号化／復号化部は、送信する画像データを圧縮・符号化し、受信した画像データを伸長・復号化するものであり、変復調部は、圧縮・符号化された画像データを音声信号に変調したり、受信した信号（音声信号）を画像データに復調するものである。また、ＮＣＵは、送受信先となるファクシミリ装置との電話回線による接続を制御するものである。
【００３９】
ネットワークＩ／Ｆ部７１は、ネットワークインタフェース（例えば10/100Base-TX）等を用い、ネットワークを介して接続されたユーザ側サーバとの間での種々のデータの送受信を制御するものである。また、ネットワークにパーソナルコンピュータ等の図示しない１または複数の端末装置が接続されている場合に、ネットワークＩ／Ｆ部７１はこれらの端末装置との間での種々のデータの送受信を制御する。たとえば、ネットワークＩ／Ｆ部７１は、スキャナ部１１によって読取られた原稿画像データを端末装置へ送信したり、プリンタ部３１で印刷するために端末装置から送られた画像データを受信したりする。
【００４０】
パラレルＩ／Ｆ部７２は、高速双方向パラレルインターフェイス（たとえばＩＥＥＥ１２８４準拠）等を用い、複数の信号線を用いて複数ビット単位でデータを送信するパラレル伝送によって、外部機器等から印刷データ等を受信等するものである。シリアルＩ／Ｆ部７３は、シリアルインターフェイス（たとえばＲＳ−２３２Ｃ）等を用い、単一の信号線を用いて1ビットずつ順次データを送るシリアル伝送によって、外部機器等から種々のデータ等を受信等するものである。
【００４１】
ＨＤＤ７４は、スキャナ部１１によって読取られた画像データやネットワークを介して送信されてきた画像データ、あるいは当該画像データに設定されている出力形式等を記憶するものである。ＨＤＤ７４に記憶されている画像データは、該複合機１で使用されるだけでなく、ネットワークＩ／Ｆ部７１を介して、端末装置によって確認されたり、端末装置の所定のフォルダへ転送されることによって、該端末装置での使用に供されたりする。
【００４２】
なお、複合機１では、上述の各機能を組合わせて種々の機能が実現される。たとえば、スキャナ機能として、ＰＣ送信機能、Ｅ−ｍａｉｌ送信機能、ＦＡＸ送信機能等が実現されてもよい。ここで、ＰＣ送信機能とは、原稿から読取った画像データをネットワークを介して任意の端末装置等へ直接送信する機能である。Ｅ−ｍａｉｌ送信機能とは、原稿から読取った画像データを電子メールの添付ファイルとして、ネットワークを介して、たとえば図略のＳＭＴＰサーバへ直接送信し、さらにこのＳＭＴＰサーバからネットワークを介して任意の外部端末装置等へ当該電子メールを送信することによって、原稿から読取った画像データを電子メールの添付ファイルとして送信する機能である。ＦＡＸ送信機能とは、原稿から読取った画像データを、電話回線等を介して任意のファクシミリ装置等へ直接送信する機能である。
【００４３】
上述のように構成される複合機１において、前記データメモリ３６には、ファクシミリコントローラ４３がファクシミリ通信を行う際に必要となる情報、たとえば短縮釦登録の相手先名称やファクシミリ番号などが、前記操作パネル部５１からの入力操作によって予め格納されており、またスキャナコントローラ４２がネットワークスキャナ動作を行う際の連動先の相手先アドレスなども記憶されている。
【００４４】
そして、そのデータメモリ３６は、ＳＲＡＭ（Static  ＲＡＭ）やＥＥＰＲＯＭ（Electrically Erasable Programmable Read Only Memory ）などの電源供給が行われることで記憶内容を保持することができる記憶手段から成り、図３で示すように、内部電源Ｖｃｃが立上がっているときにはこの内部電源Ｖｃｃで記憶内容が保持され、内部電源Ｖｃｃの供給が遮断されているときには、バックアップ電源３７からの電源供給で記憶内容が保持される。このため、図３で示すように、データメモリ３６と並列に、小容量のサージ吸収用のコンデンサ３８が設けられるとともに、バックアップ電源３７からはダイオード３９を介して電源供給が行われる。
【００４５】
前記データメモリ３６は、書替え時に電力を消費するが、その間は前記内部電源Ｖｃｃが供給されており、記憶内容の保持には電圧が印加されているだけでよく、電力消費は殆どない。このため、前記バックアップ電源３７は、リチウム１次電池などから成り、該複合機１の寿命程度のバックアップが可能である。
【００４６】
注目すべきは、本実施の形態では、図４で示すように、前記データメモリ３６が搭載された基板８０を収納する筐体を複数の筐体部分の組立て体から構成し、前記筐体部分の一方に前記基板８０を搭載し、他方に前記バックアップ電源３７を搭載し、双方の筐体部分を相互に分離することで、前記バックアップ電源３７から前記データメモリ３６への電源供給が遮断されるようにすることである。
【００４７】
本実施の形態では、前記筐体部分は、１または複数の基板（図４では８０，８１，８２の３枚）を収納する筐体本体である下部筐体８３と、蓋である上部筐体８４とから構成される。そして、前記下部筐体８３に収納される基板８０，８１，８２の最上層の基板を前記データメモリ３６が搭載された基板８０とし、その基板８０から前記上部筐体８４へ向けて給電用の一対の接触片Ｔ１，Ｔ２を延設し、前記上部筐体８４には、図５で示すように前記バックアップ電源３７がバンド８５によって締着されており、前記接触片Ｔ１，Ｔ２へ向けて、その電極３７ａ，３７ｂが給電用の一対の接触片となる。
【００４８】
前記筐体８３，８４の一方（図４では上部筐体８４）にはフック８６が取付けられ、他方（図４では下部筐体８３）には係合片８７が取付けられている。また、前記基板８０，８１，８２を収容する下部筐体８３には、コネクタ８８が取付けられている。そして、前記画像処理部２１、データメモリ３６、制御部４１、ファクシミリ通信部６１、ネットワークＩ／Ｆ部７１、パラレルＩ／Ｆ部７２、シリアルＩ／Ｆ部７３およびＨＤＤ７４などを搭載するこれら基板８０，８１，８２を収容した筐体８３，８４から成るコントロールユニット９０は、図１で示すように、本体部２００に収納されており、収納されている状態で前記コネクタ８８が本体部２００側のコネクタと嵌着して動作が可能となり、引出されることで前記コネクタ８８が本体部２００側のコネクタから離脱する。
【００４９】
上述のように構成される複合機１において、筐体８３，８４が一体に組立てられている状態では、図６で示すように、バックアップ電源３７の電極３７ａ，３７ｂが接触片Ｔ１，Ｔ２にそれぞれ接触し、前記内部電源Ｖｃｃの遮断時に、データメモリ３６の記憶内容のバックアップが可能となっている。
【００５０】
これに対して、該複合機１の移設、廃棄、更新などの際に、先ずコントロールユニット９０が本体部２００から引き抜かれると、コネクタ８８が本体部２００側のコネクタから離脱し、前記内部電源Ｖｃｃが遮断される。この状態で、前記係合片８７をフック８６から解放し、上部筐体８４を下部筐体８３から開放するという簡単な作業を行うことで、バックアップ電源３７の電極３７ａ，３７ｂが接触片Ｔ１，Ｔ２から離反し、前記相手先名称やファクシミリ番号などの機密情報を一括消去することができる。これによって、該複合機１の廃棄や再利用などの際に、不所望に前記機密情報が漏洩してしまうことを未然に防止し、セキュリティを向上することができる。また、電源が遮断されていても消去を行うことができ、該複合機１の撤去後に消去を行うことができる。
【００５１】
前記バックアップ電源３７は、図５の例では、バンド８５による締着によって上部筐体８４に取付けられているけれども、図７で示すように、電池ホルダ９１によって上部筐体８４に取付けられるようにしてもよい。上部筐体８４を下部筐体８３に取付けると、図８で示すように、バックアップ電源３７の電極３７ａ，３７ｂにそれぞれ接触している電池ホルダ９１側の接触片Ｔ１１，Ｔ１２が、さらに基板８０側の接触片Ｔ１，Ｔ２にそれぞれ接触する。
【００５２】
前記バンド８５による締着ではバックアップ電源３７の位置決めが難しいのに対して、このように電池ホルダ９１を用いることで、バックアップ電源３７の取付け作業を容易に行うことができる。
【００５３】
なお、データメモリ３６と並列に設けられる小容量のサージ吸収用のコンデンサ３８によって、前記バックアップ電源３７が切り離されても、短時間の上部筐体８４の開閉作業の間はデータメモリ３６の記憶内容が保持されてしまう場合は、図３で示すように、前記コンデンサ３８と並列に放電抵抗４０を設けてもよく、この場合、たとえばコンデンサ３８の容量を１μＦとし、放電抵抗４０の抵抗値を１ＭΩとすると、１秒で放電が完了する。あるいは、図３で示すように、接触片Ｔ１’，Ｔ２’をこのデータメモリ３６と並列に設け、ダイオード３９およびコンデンサ３８も前記上部筐体８４側に設けるようにすればよい。
【００５４】
［実施の形態２］
図９は、本発明の実施の第２の形態の複合機におけるデータメモリ３６およびそのバックアップ電源３７周りの電気回路図である。この図９の構成は、前述の図３で示す構成に類似し、対応する部分には同一の参照符号を付して示し、その説明を省略する。注目すべきは、本実施の形態では、基板８０ａ側に、前記データメモリ３６と共にバックアップ電源３７も搭載されており、上部筐体８４側にはそれらの間の給電線路の一部が形成されていることである。
【００５５】
このため、基板８０ａ側には、図１０（ｃ）で示すように一対の接触片Ｔ３，Ｔ４が立設されており、またバックアップ電源３７の電極３７ａ，３７ｂにそれぞれ接触する端子Ｔ５，Ｔ６が立設されている。
【００５６】
一方、上部筐体８４側には、図１０（ａ）で示すような短絡片９２が設けられている。この短絡片９２は、図１０（ｂ）で拡大して示すように、樹脂などの電気絶縁性の材料から成る本体９２ａに、前記接触片Ｔ３，Ｔ４がそれぞれ挿入する凹所Ｈ１３，Ｈ１４を有し、その凹所Ｈ１３，Ｈ１４内に前記接触片Ｔ３，Ｔ４に接触する接触片Ｔ１３，Ｔ１４が設けられるとともに、前記接触片Ｔ１３，Ｔ１４間を連結する連結片９２ｂが一体成型されて形成される。この短絡片９２は、電気絶縁性の材料から成り、図１０（ａ）で示すようなスパイラルワイヤ９３によって取付け片９４に接続されており、その取付け片９４は前記上部筐体８４にねじ止め固定される。
【００５７】
したがって、上部筐体８４を下部筐体８３から開放し、スパイラルワイヤ９３を伸ばした状態で短絡片９２が接触片Ｔ３，Ｔ４に嵌着され、上部筐体８４を閉じると、スパイラルワイヤ９３が縮小し、基板８０ａ上の回路に悪影響を及ぼすことなく、接触片Ｔ３，Ｔ４間が短絡片９２によって短絡され、バックアップ電源３７によるデータメモリ３６の記憶内容のバックアップが可能になる。
【００５８】
また、万が一、短絡片９２が接触片Ｔ３，Ｔ４から外れることがあっても、スパイラルワイヤ９３の復元力によって、短絡片９２は基板８０ａから離れる。加えて、接触片Ｔ１３，Ｔ１４が凹所Ｈ１３，Ｈ１４の内方に配置されていることから、短絡片９２が基板８０ａに接触することがあっても、回路を短絡するなどの不具合を回避することができる。
【００５９】
これに対して、上部筐体８４を下部筐体８３から開放し、短絡片９２を接触片Ｔ３，Ｔ４から引き抜くと、前記相手先名称やファクシミリ番号などの機密情報を一括消去することができる。このようにしてもまた、該複合機１の廃棄や再利用などの際に、不所望に前記機密情報が漏洩してしまうことを未然に防止し、セキュリティを向上することができる。
【００６０】
本発明は、ファクシミリ装置に限らず、携帯電話、固定電話、ＰＤＡ（Personal Digital Assistant）などの機密情報を扱う電気機器に好適に実施することができる。
【図面の簡単な説明】
【００６１】
【図１】本発明の実施の第１の形態の電気機器である複合機の機械的構成を示す縦断面図である。
【図２】前記複合機の電気的構成を示すブロック図である。
【図３】本発明の実施の第１の形態の複合機におけるデータメモリおよびそのバックアップ電源周りの電気回路図である。
【図４】前記データメモリが搭載された基板を収納する筐体の構造を示す分解斜視図である。
【図５】バックアップ電源の上部筐体への取付け構造の一例を示す斜視図である。
【図６】図５の取付け構造のバックアップ電源と基板との関係を示す斜視図である。
【図７】バックアップ電源の上部筐体への取付け構造の他の例を示す斜視図である。
【図８】図７の取付け構造のバックアップ電源と基板との関係を示す断面図である。
【図９】本発明の実施の第２の形態の複合機におけるデータメモリおよびそのバックアップ電源周りの電気回路図である。
【図１０】図９で示すバックアップ電源周りの構造を説明するための図である。
【符号の説明】
【００６２】
１    複合機
１１    スキャナ部
２１    画像処理部
３１    プリンタ部
３６    データメモリ
３７    バックアップ電源
３７ａ，３７ｂ    電極
３８    コンデンサ
３９    ダイオード
４１    制御部
４２    スキャナコントローラ
４３    ファクシミリコントローラ
４４    プリンタコントローラ
４５    コピーコントローラ
５１    操作パネル部
６１    ファクシミリ通信部
７１    ネットワークＩ／Ｆ部
７２    パラレルＩ／Ｆ部
７３    シリアルＩ／Ｆ部
７４    ＨＤＤ
８０，８０ａ，８１，８２    基板
８３    下部筐体
８４    上部筐体
８５    バンド
８６    フック
８７    係合片
８８    コネクタ
９０    コントロールユニット
９１    電池ホルダ
９２ｂ  連結片
９３    スパイラルワイヤ
９４    取付け片
２００  本体部
３００  用紙後処理部
４００  操作部
５００  原稿読み取り部
６００  原稿給送部
Ｔ１，Ｔ２；Ｔ３，Ｔ４；Ｔ１３，Ｔ１４    接触片
Ｔ５，Ｔ６    端子
【図１】
2007065842.tif 000003
【図２】
2007065842.tif 000004
【図３】
2007065842.tif 000005
【図４】
2007065842.tif 000006
【図５】
2007065842.tif 000007
【図６】
2007065842.tif 000008
【図７】
2007065842.tif 000009
【図８】
2007065842.tif 000010
【図９】
2007065842.tif 000011
【図１０】
2007065842.tif 000012